(57)【要約】【課題】床使用としての強度や形状、融氷雪性、防滑性、排水性において優れ、経済性にも秀で、かつ設置の地域や場所が限定されない融雪床材を提供すること。【解決手段】合成樹脂及び／又はゴムを主成分とし、遠赤外線放出性粉末２を略均等に分散するとともに、その表面に吸湿発熱性粒子３を略均等に付着してなる表層シート４と、合成樹脂及び／又はゴムを主成分とし断熱性及び保温性を備えた裏層シート５とを積層する。【選択図】図１
2005171658.tif 000002
【特許請求の範囲】
【請求項１】
合成樹脂及び／又はゴムを主成分とし、その内部に遠赤外線放出性粉末を略均等に分散するとともに、その表面に吸湿発熱性粒子を略均等に付着してなる表層シートと、合成樹脂及び／又はゴムを主成分とし断熱性及び保温性を備えた裏層シートとを積層したことを特徴とする融雪床材。
【請求項２】
通気性と防水性を有する合成樹脂及び／又はゴムを主成分とし、その内部に遠赤外線放出性粉末と吸湿発熱性粒子とを略均等に分散してなる表層シートと、合成樹脂及び／又はゴムを主成分とし断熱性及び保温性を備えた裏層シートとを積層したことを特徴とする融雪床材。
【請求項３】
表層シートと裏層シートとの間に、少なくとも一対の端子を具備する通電発熱体を密封したことを特徴とする請求項１又は２記載の融雪床材。
【請求項４】
裏層シート又は通電発熱体の上に反射シートを設けたことを特徴とする請求項１、２又は３記載の融雪床材。
【請求項５】
表層シートに凹部と凸部を設けたことを特徴とする請求項１、２、３又は４記載の融雪床材。
【請求項６】
凹部を互いに連通させ、表層シートの端部に通じる溝状に形成したことを特徴とする請求項５記載の融雪床材。
【請求項７】
少なくとも凹溝の内表面に親水性を付与したことを特徴とする請求項６記載の融雪床材。
【請求項８】
任意の凹溝の内表面に蓄光性を付与したことを特徴とする請求項６又は７記載の融雪床材。
【請求項９】
表層シートに模様又は文字を入れたことを特徴とする請求項１、２、３、４、５、６、７又は８記載の融雪床材。
【請求項１０】
センサーを具備し、通電回路の開閉を自動化したことを特徴とする請求項３、４、５、６、７、８又は９記載の融雪床材。
【発明の詳細な説明】
【技術分野】
【０００１】
本発明は、主に寒冷地の屋外で好適に使用することができ、その表面で氷や雪を融かす融雪床材に関するものである。
【背景技術】
【０００２】
従来から、通電発熱することにより表面の氷や雪を融かす床材や、その表面に赤外線や遠赤外線を照射して氷や雪を融かす床材、保温性と断熱性に優れた合成樹脂に遠赤外線放出物質を混合し、地熱でその放出量を高めて雪を融かす床材に転用可能な積層シート等が数多くが提案されている。
また、吸湿して発熱する微粒子をその表面又は内部に分散させ積雪を抑制するネットやマットも提案されている。
【０００３】
例えば、高吸湿性微粒子が付着されてなる、少なくとも目合いサイズで最短距離が２ｍｍ以上のｎ角形（ｎ：３以上）ネット状構造体で、吸湿又は吸水時の最大温度上昇が３℃以上である積雪抑制マットが開示されている（例えば、特許文献１参照）。
また、熱源に吸湿発熱素材を使用することで、雪自体をエネルギーとして活用し運転コストを低減する簡易融雪マットが開示されている（例えば、特許文献２参照）。
【０００４】
しかしながら、前者は、あくまで降雪を受け止めて着雪しないネットに係る発明であり、床使用としての強度や形状を備えておらず、後者は逆に、床使用としての強度や形状は有するものの、吸湿発熱物質の吸湿発熱量は僅かである観点から、一定量の融氷雪にかかる時間は極めて長いという問題を残している。
【０００５】
【特許文献１】特開平２００３−９７０８９号公報
【特許文献２】特開平２００２−３５６８２６号公報
【発明の開示】
【発明が解決しようとする課題】
【０００６】
本発明は、上記の問題点に鑑みてなしたものであり、床使用としての強度や形状、融氷雪性、防滑性、排水性において優れ、経済性にも秀で、かつ設置の地域や場所が限定されない融雪床材の提供を目的とする。
【課題を解決するための手段】
【０００７】
上記目的を達成するため、本第１発明の融雪床材は、合成樹脂及び／又はゴムを主成分とし、遠赤外線放出性粉末を略均等に分散するとともに、その表面に吸湿発熱性粒子を略均等に付着してなる表層シートと、合成樹脂及び／又はゴムを主成分とし断熱性及び保温性を備えた裏層シートとを積層したことを特徴とする。
【０００８】
また、同じ目的を達成するため、本第２発明の融雪床材は、通気性と防水性を有する合成樹脂及び／又はゴムを主成分とし、その内部に遠赤外線放出性粉末と吸湿発熱性粒子とを略均等に分散してなる表層シートと、合成樹脂及び／又はゴムを主成分とし断熱性及び保温性を備えた裏層シートとを積層したことを特徴とする。
【０００９】
この場合において、表層シートと裏層シートとの間に、少なくとも一対の端子を具備する通電発熱体を密封することができる。
【００１０】
また、裏層シート又は通電発熱体の上に反射シートを設けることができる。
【００１１】
また、表層シートに凹部と凸部を設けることができる。
【００１２】
また、凹部を互いに連通させ、表層シートの端部に通じる溝状に形成することができる。
【００１３】
また、少なくとも凹溝の内表面に親水性を付与することができる。
【００１４】
また、任意の凹溝の内表面に蓄光性を付与することができる。
【００１５】
また、表層シートに模様又は文字を入れることができる。
【００１６】
また、センサーを具備し、通電回路の開閉を自動化することができる。
【発明の効果】
【００１７】
本第１発明の融雪床材よれば、合成樹脂及び／又はゴムを主成分とし、遠赤外線放出性粉末を略均等に分散するとともに、その表面に吸湿発熱性粒子を略均等に付着してなる表層シートと、合成樹脂及び／又はゴムを主成分とし断熱性及び保温性を備えた裏層シートとを積層することから、電気を必要とせず、その表面の吸湿性微粒子が表面の湿気を吸着して発熱し、その温度の上昇に応じて遠赤外線放出性粉末が暖められ遠赤外線の放出量が増大し、その昇温作用により融雪床材の表面における凍結や積雪が防止されると同時に表面周辺の雪や氷を融かすことになり、その経済効果はかなり高まることになる。また、発生した熱量は裏層シートで断熱保温され、上記にプラスしてその経済効果は高まることになる。
【００１８】
また、本第２発明の融雪床材によれば、通気性と防水性を有する合成樹脂及び／又はゴムを主成分とし、その内部に遠赤外線放出性粉末と吸湿発熱性粒子とを略均等に分散してなる表層シートと、合成樹脂及び／又はゴムを主成分とし断熱性及び保温性を備えた裏層シートとを積層することから、表層シートの内部に湿気を滲入させて、内部に略均等に分散された吸湿発熱性粒子を発熱させる一方、防水性により吸湿発熱性粒子の吸水を予防し、その発熱機能を最大限発揮させ、これにより、融氷雪作用をさらに増大し経済効果をさらに高めることができる。
【００１９】
この場合、表層シートと裏層シートとの間に、少なくとも一対の端子を具備する通電発熱体を密封することにより、表面温度を上昇させて融氷雪を加速するとともに、遠赤外線放出性粉末を暖めて遠赤外線の放出量を増大させ、融氷雪機能を著しく向上させることができる。
さらに、電熱による温度上昇で吸湿発熱性粒子が乾燥し、吸湿発熱性粒子が再機能化されることになり、充分乾き荷電を停止した時には、再度融氷雪機能が発揮されることになる。即ち、吸湿発熱作用と遠赤外線の昇温作用により電気量が著しく低減でき、その経済効果は極端に高まることになる。
【００２０】
また、裏層シート又は通電発熱体の上に反射シートを設けることにより、表層シートから下方に放出される遠赤外線が反射シートで上方に反射され、融雪床材表面の融氷雪機能がさらに高まり、その経済効果はさらに向上することになる。
【００２１】
また、表層シートに凹部と凸部を設けることにより、融雪床材上の滑りを防止することができる。
【００２２】
また、凹部を互いに連通させ、表層シートの端部に通じる溝状に形成することにより、融雪床材表面の融水を表層シートの側部に排出し、防滑機能をより高めることができる。
【００２３】
また、少なくとも凹溝の内表面に親水性を付与することにより、水の排出が加速され、防滑機能をさらに高めることができる。
【００２４】
また、任意の凹溝の内表面に蓄光性を付与することにより、凹溝を発光させて暗闇での視認を容易にし、歩行時の安全性を高めることができる。
【００２５】
また、表層シートに模様又は文字を入れることにより、宣伝や確認の効果を向上させることができる。
【００２６】
また、センサーを具備し、通電回路の開閉を自動化することにより、融雪床材の管理が楽になり、さらに、具備させるセンサーの種類により、温度、機械量等それぞれ異種の物理量の感知が可能になり、融雪床材を使用する地域の状況によって、通電発熱体の使用温度域や通電の開閉等を最適の条件で制御することが可能になる。
【発明を実施するための最良の形態】
【００２７】
以下、本発明の融雪床材の実施の形態を図面に基づいて説明する。
【実施例１】
【００２８】
図１に、本発明の融雪床材の第１実施例を示す。
この融雪床材１は、合成樹脂やゴムを主成分とし、遠赤外線放出性粉末２を略均等に分散するとともに、その表面に吸湿発熱性粒子３を略均等に付着してなる表層シート４と、合成樹脂やゴムを主成分とし断熱性及び保温性を備えた裏層シート５とを積層している。
【００２９】
表層シート４や裏層シート５には、合成樹脂としては、成形性が良好であることから熱可塑性樹脂が好適に使用でき、中でも、汎用性の高い、ビニル系の塩化ビニルや酢酸ビニル等、オレフィン系のポリエチレン、ポリプロピレン等、これら合成樹脂の混合体、これら合成樹脂とエチレン−酢酸ビニル等の共重合体類やエラストマ−類や変性ポリオレフィン類等との混合物がより好適に使用でき、また、ゴムでは、天然や合成を問わず殆どの公知の種類のものが使用できる。
また、融雪床材１に弾力性を付与するために、上記合成樹脂やゴムからなる表層シート４や裏層シート５を発泡体に形成することも可能である。
【００３０】
表層シート４に添加する遠赤外線放出性粉末５としては、アルミナ等の金属酸化物や沸石、蛇紋石、トルマリン等の自然石や海藻炭素等の粉末及び海藻炭素を焼結したセラミックの粉末等公知の物質が融雪床材１の設計に応じて適宜選択使用できる。
【００３１】
表層シート４の表面に付着させる吸湿発熱性粒子には、無機質ではアルミナ等の多孔質酸化物、ゼオライト、シリカゲル、キセロゲル等が好適に使用することができる。
また、有機質ではポリスチレン系、ポリアクリロニトリル系、ポリアクリル酸エステル系、ポリメタクリル酸エステル系のいずれかのビニル系重合体でスルホン酸基、カルボン酸基、リン酸基あるいは、それ等の金属塩の少なくとも１種の親水基を有し、かつジビニルベンゼン、トリアリルイソシアネート、又はヒドラジンのいずれかで架橋された架橋重合体等が好適に使用することができる。
【００３２】
本実施例の融雪床材１は、上記のように形成することにより、電気を必要とせず、その表面の吸湿発熱性粒子３が表面の湿気を吸着して発熱し、その温度の上昇に応じて遠赤外線放出性粉末２が暖められ遠赤外線の放出量が増大し、その昇温作用により融雪床材１の表面における凍結、積雪が防止されると同時に表面周辺の雪や氷を融かすことで、その経済効果はかなり高まることになる。さらに、発生した熱量は裏層シート５で断熱保温され、上記にプラスしてその経済効果は高まることになる。
【実施例２】
【００３３】
図２に、本発明の融雪床材の第２実施例を示す。
この第２実施例における融雪床材１は、通気性と防水性を有する合成樹脂やゴムを主成分とし、その内部に遠赤外線放出性粉末２と吸湿発熱性粒子３とを略均等に分散してなる表層シート４と、合成樹脂やゴムを主成分とし断熱性及び保温性を備えた裏層シート５とを積層している。
この場合、表層シートの表面にも、吸湿発熱性粒子３を略均等に付着させることができる。
【００３４】
通気性と防水性を有する合成樹脂としては、透湿性に優れたポリアルキレンオキサイド付加型、スルホン酸基、カルボン酸基等の極性親水基型、アミド変性型等を導入した親水性シリコン系樹脂、親水性ウレタン系樹脂、親水性ポリアミド系樹脂、親水性ポリエチレンオキサイド系樹脂等が好適に使用することができる。
【００３５】
また、吸湿発熱性粒子３の耐久性向上のために、上記親水性合成樹脂からなるバインダーの系にイソシアネート系、メチロール系、エチレンイミン系、多官能アジニジリル系、金属塩など各種架橋剤を吸湿性が低下しない範囲で併用してもよい。
【００３６】
本実施例の融雪床材は、上記のように形成することにより、電気を必要とせず、その表面の吸湿発熱性粒子３が表面の湿気を吸着して発熱し、その温度の上昇に応じて遠赤外線放出性粉末２が暖められ遠赤外線の放出量が増大し、その昇温作用により融雪床材１の表面における凍結、積雪が防止されると同時に表面周辺の雪や氷を融かすことで、その経済効果はかなり高まることになる。さらに、発生した熱量は裏層シート５で断熱保温され、上記にプラスしてその経済効果は高まることになる。
また、通気性と防水性を有する合成樹脂やゴムを主成分とし、その内部に遠赤外線放出性粉末２と吸湿発熱性粒子３とを略均等に分散してなる表層シート４と、合成樹脂やゴムを主成分とし断熱性及び保温性を備えた裏層シート５とを積層することから、表層シートの内部に湿気を滲入させて、内部に略均等に分散された吸湿発熱性粒子を発熱させる一方、防水性により吸湿発熱性粒子の吸水を予防し、その発熱機能を最大限発揮させ、これにより、融氷雪作用をさらに増大し経済効果をさらに高めることができる。
【実施例３】
【００３７】
図３に、本発明の融雪床材の第３実施例を示す。
この第３実施例の融雪床材１は、第１実施例又は第２実施例と同じ構成の表層シート４と裏層シート５との間に、少なくとも一対の端子６３を具備する通電発熱体６を密封して設けたものである。
この場合、表層シート４と裏層シート５との密封の手段や形態も特に限定されるものではない。また、融雪床材１の仕上がり厚みも２〜２０ｍｍが使用上好ましいが、特に制約されるものでもなく、積層各部の厚みも制約されるものでない。
【００３８】
通電発熱体６には、炭素やステンレス、ニクロム等の金属の繊維や細線を、例えば、電気毛布のヒータ部のように平面配設させることで好適に使用できる。
また、これら繊維や細線を内包させた織物や網体や薄板体等、同様物の粉体を導電性が高い合成樹脂やゴムに分散したフィルム等も好適に使用することができる。
そして、融雪床材１の設計に添って上記繊維や細線、織物や網体やフィルム等で通電回路を形成し、その回路の端部間に通電線（図示省略）と、漏電防止のため水密状態及び発火防止のため気密状態で接続できる少なくとも一対の端子６３とを具備させ、これを密封するように表裏に表層シート４と裏層シート５を積層させるようにする。
【００３９】
また、通電発熱の場合は、特に、発火防止の観点で表層シート４や裏層シート５の通電発熱体６との接触部（端子６３と通電線の接続部）は気密状態になるよう融雪床材１を形成することが不可欠となる。
【００４０】
本実施例の融雪床材１は、上記のように形成することにより、通電発熱体６の端子６３間に通電線を接続して荷電すれば、融雪床材１が暖まり、その表面での凍結や積雪が防止されるとともに表面で融氷雪され、同時に遠赤外線放出性粉末２も暖められ、遠赤外線の放出量が激増し、表面の雪や氷に通電発熱体６の熱伝導に加えて遠赤外線の熱放射が作用することになり、融氷雪機能著しく向上する。
さらに、遠赤外線の放出量に応じて、通電発熱体６の発熱量が低減でき、その経済効果は著しく高まるとともに、漏電や発火の要因が減少し安全性が向上することになる。
【００４１】
また、被照射体となる雪や氷に向けて遠赤外線を効率よく放出させるため、表層シート４には、赤外線や遠赤外線の透過性に優れたポリオレフィン系の合成樹脂、ポリエチレン、ポリプロピレン等、これら合成樹脂の混合体、これら合成樹脂とエチレン−酢酸ビニル等の共重合体類やエラストマ−類や変性ポリオレフィン類等のとの混合物が最適に使用することができる。
【００４２】
さらに、裏層シート５には、融雪床材１の下方への熱伝導を防止し熱放射を遮蔽する断熱性に加えて、保温性や蓄熱性に優れた合成樹脂やゴムを使用すれば、裏層シート５は最適の形態となり、熱効率の観点から、融雪床材１は最良の形態となる。
【実施例４】
【００４３】
図４に、本発明の融雪床材の第４実施例を示す。
この第４実施例における融雪床材１は、第３実施例と同じように構成する表層シート４と裏層シート５との間に通電発熱体６と共に反射シート７を配設したものである。
この場合、図４（Ａ）に示す実施例は、裏層シート５の上部（相対的に通電発熱体６の下部）に反射シート７を、また図４（Ｂ）に示す実施例は通電発熱体６の上部（相対的に表層シート４の上部）に反射シート７を、それぞれ配設したものである。
【００４４】
この反射シート７には、光反射性の強い金属板、又はこの金属板に金属メッキを施した薄板を使用することができるが、経済的にアルミ等光反射性の強い金属を蒸着させた合成樹脂製フィルムがより好適に使用できる。
【００４５】
このように、融雪床材１に反射シート７を設けて形成することにより、融雪床材１の下方に放出される遠赤外線や赤外線等の熱線が反射シート７で上方に反射されることになり、放射熱量が無駄なく上方に向かい、融雪床材表面の融氷雪機能がさらに高まり、その経済効果は著しく向上することになる。
【００４６】
また、本実施例の融雪床材１においては、さらに漏電や発火を防止するため、表層シート４と裏層シート５との間、通電発熱体６や反射シート７の上部又は下部に、別途難燃性、電気絶縁性、耐熱性、蓄熱性等に優れたシートやフィルム（いずれも図示省略）をそれぞれ積層することができる。
【００４７】
このように本実施例は、最良の熱効率を追求するものでもあり、表裏に表層シート４と裏層シート５、その間に通電発熱体６が保持されるならば、その積層数は特に限定されるものではない。
【実施例５】
【００４８】
図５に、本発明の融雪床材の第５実施例を示す。
この第５実施例における融雪床材１は、第３実施例の構成の融雪床材において、表層シート４の面積より裏層シート５の面積を大きくしている。
また、これとは逆（図示省略）に、表層シート４の面積を裏層シート５よりも大きく形成することもでき、これら大きさは本発明において特に限定されるものではない。
【実施例６】
【００４９】
図６に、本発明の融雪床材の第６実施例を示す。
この第６実施例における融雪床材１は、前記各実施例と同じように構成する表層シート４の上面に、凹部４１と凸部４２をほぼ定間隔毎に形成したものである。
【００５０】
このように、表層シート４に凹部４１と凸部４２を形成することで、表層シート４の凹凸が歩行時の滑りを事前に防止することになり、また凹部４１を互いに連通させることにより表層シート４の端部間に通じる凹溝４０になるよう形成すれば、融雪床材１表面の水はその側部に排出され、防滑機能をより高まることになる。
【００５１】
また、上記の場合、少なくとも凹部４１の内表面４３に親水性を付与すれば、水の排出が加速され、防滑機能をさらに高めることができる。
この親水性を付与する手段としては、特に限定されるものではないが、例えば、界面活性剤（親水性物質）を、直接表層シート４の凹部４１の内表面４３に直接練り込む、界面活性剤を塗料に分散しこれを同箇所等に塗布する、表層シート４に親水性樹脂を混合させる、親水性樹脂で薄いシートを形成しこれを同箇所等に貼着する等、各種の方法を採用することができ、適宜最良の手段を選択すればよい。
【００５２】
界面活性剤としては、具体的に多価アルコールと高級脂肪酸類とから誘導された多価アルコール部分エステルが好適に使用でき、また、親水性樹脂としては、エチレンビニルアルコールやポリビニルアルコール等の水酸基を有する合成樹脂が好適に使用できる。
【実施例７】
【００５３】
図７に、本発明の融雪床材の第７実施例を示す。
この第７実施例における融雪床材１は、暗闇での視認を可能にするために、第３実施例で示す表層シート４の凹部４１の内表面４３に蓄光材を付与して発光部４４を形成し、その下部や側部に隣接させて発光を付勢する白色部４５を設けたものである。
【００５４】
このように凹部４１の内表面４３に蓄光材を付与することで、踏み圧による摩耗から発光部４４が護られ、長期に亘り暗闇での視認を可能にすることができる。
【００５５】
蓄光材としては、商品名「Ｎ−夜光」（根本特殊化学株式会社製）、商品名「ピカリコ」（ケミテック株式会社製）、等が好適に使用でき、付与手段として、蓄光材を直接表層シート４の凹部４１の内表面４３に練り込むか、蓄光材を塗料に分散させこれを同箇所等に塗布することが考えられるが、これら蓄光材と白色顔料を別個の合成樹脂に分散させ、双方を積層して形成した薄いテープを同箇所等に貼着することが、最も経済的で合理的な手段となる。
【実施例８】
【００５６】
図８に、本発明の融雪床材の第８実施例を示す。
この第８実施例における融雪床材１は、表層シート４に意匠性に優れた模様８やその業種や名称を表示する文字９を設けたもので、その一例として、特に限定されるものではないが、例えば、飲食業を示す「スナック」、店名を示す「バーディ」を表示している。
【００５７】
このような模様８や文字９の表示手段は多岐に亘るが、その視認効果を考慮して、表層シート４の色に明度差や色差を持たせて設けることが重要で、暗闇での視認を考慮する場合は、上記の蓄光材を模様８や文字９に合わせて設ければよい。そして、表層シート４に模様８又は文字９を設けることによって、その店の宣伝や確認効果が向上する。
【実施例９】
【００５８】
図９に、本発明の融雪床材の第９実施例を示す。
この第９実施例における融雪床材１は、融雪床材１の表層シート４内部に温度感知センサー１０を設けるとともに、外部に降雪量感知センサー１２を設け、この温度感知センサー１０及び降雪量感知センサー１２からの情報を制御部１１に伝達し、設定された温度域で通電開閉部６２が作動するように構成したものである。
【００５９】
このように、これらセンサー１０を設けることにって、例えば、図９はステンレスの発熱線６０を示すものであるが、その発熱により表層シート４内部温度が５０℃を温度感知センサー１０が感知した時に自動的に通電を停止し、５℃に降下した時に自動的に通電を開始させることや、降雪の設定重量を降雪量感知センサー１２が感知した時に自動的に通電を開始させることによって降雪量に応じて通電を制御することが可能になる。
【００６０】
この場合、温度感知センサー１０及び降雪量感知センサー１２を設ける箇所は限定されるものでなく、また、感知する温度域や重量等は融雪床材１を使用する地域の自然環境に応じて設定、調節すればよこことになる。
【００６１】
また、センサーには上記の温度感知センサー１０や降雪量感知センサー１２の他に、凍結に伴う体積膨張による歪みを感知するセンサー（図示省略）等を適宜選択して用いることができ、これにより、融雪床材１を使用する地域の自然環境等に応じて、通電の開閉を自動化することができることになる。
【００６２】
以上、本発明の融雪床材について複数の実施例に基づいて説明したが、本発明は上記実施例に記載した構成に限定されるものではなく、その趣旨を逸脱しない範囲において適宜その構成を変更することができるものである。
【産業上の利用可能性】
【００６３】
以上、本発明の融雪床材は、経済性、融氷雪性、防滑性に優れ、排水機能を有し、かつ、設置の地域や場所が限定されず、野外で好適に使用することができるという特性を有していることから、多種多様の融雪の用途に好適に用いることができる。
【図面の簡単な説明】
【００６４】
【図１】本発明の第１実施例を示す縦断正面図である。
【図２】本発明の第２実施例を示す縦断正面図である。
【図３】本発明の第３実施例を示す縦断正面図である。
【図４】本発明の第４実施例を示し、（Ａ）は裏層シート側に反射シートを配設した縦断正面図、（Ｂ）は表層シート側に反射シートを配設した縦断正面図である。
【図５】本発明の第５実施例を示す縦断正面図である。
【図６】本発明の第６実施例を示し、（Ａ）は縦断正面図、（Ｂ）は平面図である。
【図７】本発明の第７実施例を示す縦断正面図である。
【図８】本発明の第８実施例を示す縦断正面図である。
【図９】本発明の第９実施例を示し、（Ａ）は一部破断した平面図、（Ｂ）は断面図である。
【符号の説明】
【００６５】
１    融雪床材
２    遠赤外線放出性粉末
３    吸湿発熱性粒子
４    表層シート
４０  凹溝
４１  凹部
４２  凸部
４３  凹部の内表面
４４  発光部
４５  白色部
５    裏層シート
６    通電発熱体
６０  発熱線
６１  通電線
６２  通電開閉部
６３  端子
７    反射シート
８    模様
９    文字
１０  温度感知センサー
１１  制御部
１２  降雪量感知センサー
【図１】
2005171658.tif 000003
【図２】
2005171658.tif 000004
【図３】
2005171658.tif 000005
【図４】
2005171658.tif 000006
【図５】
2005171658.tif 000007
【図６】
2005171658.tif 000008
【図７】
2005171658.tif 000009
【図８】
2005171658.tif 000010
【図９】
2005171658.tif 000011